(57)【要約】電子機器において、アンダーカット部（３ｃ）の近傍のマイク用音孔（３ａ）の周縁における、マイク（２０）に対応する位置にマイク用クッション（２１）を貼り付ける。マイク用クッション（２１）は、マイク（２０）に対応してマイク用基板（７）に形成された基板側音孔（７ａ）の周縁に当接する、筐体（３）よりも柔軟性が高い弾性部材よりなり、マイク用音孔（３ａ）の周縁から膨出する嵌込用リブ（３ｅ）に周縁の少なくとも一部が囲まれる。これにより、音響電子部品又は音響電子部品用基板で音響電子部品用クッションを押さえ付けるときに、音響電子部品用クッションが剥がれないようにする。
2016174834.tif 000002
【特許請求の範囲】
【請求項１】
筐体に形成した音響電子部品用音孔の筐体内部側に音響電子部品が内蔵された電子機器において、
上記筐体の周縁に設けられ、該筐体の型抜き方向と交差する方向に形成されたアンダーカット部と、
上記アンダーカット部に一端側が差し込まれるように挿入され、上記音響電子部品が装着される音響電子部品用基板と、
上記音響電子部品に対応する上記音響電子部品用音孔の周縁に貼り付けられる音響電子部品用クッションとを備えており、
上記音響電子部品用クッションは、上記音響電子部品又は上記音響電子部品に対応して上記音響電子部品用基板に形成された基板側音孔の周縁に当接する、上記筐体よりも柔軟性が高い弾性部材よりなり、上記音響電子部品用音孔の周縁から膨出する嵌込用リブに周縁の少なくとも一部が囲まれている
ことを特徴とする電子機器。
【請求項２】
筐体に形成した音響電子部品用音孔の筐体内部側に音響電子部品が内蔵された電子機器において、
上記筐体の周縁に設けられ、該筐体の型抜き方向と交差する方向に形成されたアンダーカット部と、
上記アンダーカット部に一端側が差し込まれるように挿入され、上記音響電子部品が装着される音響電子部品用基板と、
上記音響電子部品に対応する上記音響電子部品用音孔の周縁に貼り付けられる音響電子部品用クッションとを備えており、
上記音響電子部品用クッションは、上記音響電子部品又は上記音響電子部品に対応して上記音響電子部品用基板に形成された基板側音孔の周縁に当接する、上記筐体よりも柔軟性が高い弾性部材よりなり、
上記音響電子部品用基板の一端は、樹脂製ホルダーで覆われ、該樹脂製ホルダーが上記アンダーカット部に嵌まり込むように構成されている
ことを特徴とする電子機器。
【請求項３】
請求項１又は２に記載の電子機器において、
上記音響電子部品用クッションにおける上記音響電子部品側には、枠状の突条が連続して形成され、該突条が上記音響電子部品又は上記基板側音孔の周縁に当接して密着している
ことを特徴とする電子機器。
【請求項４】
請求項１から３のいずれか１つに記載の電子機器において、
上記音響電子部品用クッションと上記音響電子部品用音孔の周縁との間には、防水膜を含む音響電子部品用シートが挟持されている
ことを特徴とする電子機器。
【請求項５】
請求項４に記載の電子機器において、
上記音響電子部品用シートの外形は、上記音響電子部品用クッションの外形と同じ又はそれよりも小さい
ことを特徴とする電子機器。
【請求項６】
請求項１から５までのいずれか１つに記載の電子機器において、
上記音響電子部品用クッションには、潤滑剤が塗布され、又は潤滑剤がコーティングされている
ことを特徴とする電子機器。
【発明の詳細な説明】
【技術分野】
【０００１】
本発明は、筐体の周縁に形成した音響電子部品用音孔の内部に、マイク、スピーカなどの音響電子部品が内蔵される電子機器に関し、特にその音響電子部品用クッションの剥がれ防止に関する。
【背景技術】
【０００２】
従来より、筺体と、この筺体の内部に収容され、集音面を有して音声を取得する音響電子部品と、筺体の内面と音響電子部品との間に介在し、半独立気泡構造の発泡体からなるクッション材とを備える電子機器は知られている（例えば、特許文献１参照）。このクッション部材により、エコーの発生を抑え、良好な通話品質の確保を図っている。
【先行技術文献】
【特許文献】
【０００３】
【特許文献１】特開２０１４−１２３８２１号公報
【発明の概要】
【発明が解決しようとする課題】
【０００４】
例えば、図１０に例示する電子機器１０１のように、筐体の分割された正面側と背面側のキャビネット１０３で、音響電子部品であるマイク１２０を挟み込む場合、マイク用基板１０７の挿入の邪魔をするアンダーカット部等がないので、一方のキャビネット１０３側に貼り付けたクッション１２１に対して垂直にマイクを組み込むことができる。【０００５】
しかしながら、このような挟み込み構造ではなく、筐体のアンダーカット部分にマイクを組み込むような場合には、アンダーカット部が邪魔をしてクッションに対して垂直にマイクを組み込むことができず、クッションに対してマイクを滑り込ませるようにしながら組み込む必要がある。【０００６】
このため、予め筐体又はマイク側に貼り付けていたクッションが、マイクを組み込むときに剥がれてしまうおそれがある。すると、筐体とマイクとの密着性が低下し、音響特性が悪化する、という問題がある。【０００７】
本発明は、かかる点に鑑みてなされたものであり、その目的とするところは、音響電子部品用クッションの貼付面に対して音響電子部品や、音響電子部品を装着した音響電子部品用基板を垂直に近付けることができない場合に、音響電子部品又は音響電子部品用基板で音響電子部品用クッションを押さえ付けるときに、音響電子部品用クッションが剥がれないようにすることにある。
【課題を解決するための手段】
【０００８】
上記の目的を達成するために、本発明では、筐体に形成した音響電子部品用音孔の内部に音響電子部品が内蔵される電子機器を前提とし、
上記電子機器は、
上記筐体の周縁に設けられたアンダーカット部と、
上記アンダーカット部に一端側が差し込まれるように挿入され、該一端側に上記音響電子部品が装着される音響電子部品用基板と、
上記音響電子部品に対応する上記音響電子部品用音孔の周縁に貼り付けられる音響電子部品用クッションとを備えており、
上記音響電子部品用クッションは、上記音響電子部品又は上記音響電子部品に対応して上記音響電子部品用基板に形成された基板側音孔の周縁に当接する、上記筐体よりも柔軟性の高い弾性部材よりなる。【０００９】
そして、上記音響電子部品用音孔の周縁から膨出する嵌込用リブに周縁の少なくとも一部が囲まれている。【００１０】
上記の構成によると、音響電子部品用クッションの周縁の少なくとも一部が嵌込用リブで囲まれているので、音響電子部品用基板をアンダーカット部に挿入するときに嵌込用リブに保護されて音響電子部品用クッションが剥がれにくい。また、嵌合用リブにより、音響電子部品用クッションの位置決めが容易となる。音響電子部品用クッションを筐体よりも柔軟性の高い弾性部材で構成することで、音響電子部品又は音響電子部品用基板との密閉性が増し、音響特性がよくなる。本発明は、音響電子部品が音響電子部品用クッションに直接当接する場合と、音響電子部品を音響電子部品用基板における音響電子部品用クッションと反対側に貼り付け、この音響電子部品用基板に設けた基板側音孔の周縁が音響電子部品用クッションに当接する場合のいずれにも適用できる。なお、音響電子部品とは、マイク（マイクロフォン）などの音を電気信号に変える電子部品や、スピーカなどの電気信号を物理振動に変えて、音楽や音声などの音を生み出す電子部品を意味する。【００１１】
また、別の発明では、上記音響電子部品用クッションを備えており、
上記音響電子部品用基板の一端は、挿入時における上記音響電子部品用クッションとの接触を防ぐ樹脂製ホルダーで覆われ、該樹脂製ホルダーが上記アンダーカット部に嵌まり込むように構成されている。【００１２】
すなわち、音響電子部品用基板の端部は、切断時に鋭利なエッジ状やヤスリ状になっていることが多く、音響電子部品用クッションにそのまま接触すると、音響電子部品用クッションが剥がれてしまう。しかし、音響電子部品用基板の端部が樹脂製ホルダーで覆われているので、この端部が音響電子部品用クッションに直接接触することはなく、成形時に角部が尖りにくい樹脂成形品が音響電子部品用クッションに当接するので、音響電子部品用クッションが剥がれにくい。
【発明の効果】
【００１３】
以上説明したように、本発明によれば、音響電子部品用クッションの貼付面に対し、音響電子部品や、音響電子部品を装着した音響電子部品用基板を垂直に近付けることができない場合に、音響電子部品又は音響電子部品用基板で音響電子部品用クッションを押さえ付けるときに、音響電子部品用クッションが剥がれないようにすることができる。
【図面の簡単な説明】
【００１４】
【図１Ａ】図２のIA−IA線に対応する拡大断面図である。
【図１Ｂ】図１Ａの分解断面図である。
【図２】本発明の実施形態に係るスマートフォン及びその一部を拡大して示す斜視図である。
【図３】スマートフォンを示す分解斜視図である。
【図４】マイク及びその周辺を拡大して示す分解斜視図である。
【図５】マイク用クッション及びその周辺を拡大して示す斜視図である。
【図６】基板をアンダーカット部に挿入する様子を示す図１Ａ相当断面図である。
【図７】実施形態１の変形例に係る図１Ａ相当図である。
【図８】実施形態２に係る図１Ａ相当図である。
【図９】図８のIX−IX線断面図である。
【図１０】従来技術に係るマイク用クッション及びその周辺を示す拡大断面図である。
【発明を実施するための形態】
【００１５】
以下、本発明の実施形態を図面に基づいて説明する。
【００１６】
（実施形態１）
図１Ａ〜図６は、本発明の実施形態１の電子機器としてのスマートフォン１を示し、このスマートフォン１は、表面側に液晶ディスプレイ、有機ＥＬディスプレイなどの表示部２が嵌め込まれる矩形板状の筐体３を備える。筐体３の背面側は、例えば板状の背面カバー４で覆われ、左右側面及び下面が、樹脂成形品等よりなる略Ｕ字状の装飾部材５で覆われている。筐体３の背面側には、例えば、メイン基板６、このメイン基板６に接続された音響電子部品用基板としてのマイク用基板７が収容されている。マイク用基板７の背面側は、例えば、メインアンテナを含む樹脂製ホルダー８及びホルダーカバー９で覆われている。メイン基板６の背面側はサブアンテナ組品１０で覆われている。これらの部品は、ビス５０等で筐体３に固定されている。なお、充電池１１も筐体３の背面側に収容されている。
【００１７】
筐体３は、従来のような正面側キャビネットと背面側キャビネットとを嵌合させる構造とは異なり、１つの樹脂成形品等よりなり、さらなるスマートフォン１の薄型化が図られている。そして、筐体３の周縁に形成した、音響電子部品用音孔としてのマイク用音孔３ａの内部に音響電子部品としてのマイク２０が内蔵されている。なお、マイク用音孔３ａの側方には、スピーカ用放音孔３ｂが形成されており、いずれもメッシュ部材１２で覆われている。装飾部材５には、マイク用音孔３ａ及びスピーカ用放音孔３ｂにそれぞれ対応する一対の貫通孔５ａが形成されている。マイク用音孔３ａは、図１Ａに示すように、上下に延びる貫通孔の上端に水平に延びる貫通孔が連通するように形成され、正面側は塞がれ、背面側に連通している。
【００１８】
筐体３は、略矩形板状であり、図示しない射出成形型の型開き方向は、厚さ方向となる。そして、筐体３の周縁におけるマイク用音孔３ａの近傍は、その型抜き方向と直交する方向のスライド型等で成形が必要なアンダーカット部３ｃが形成されている。アンダーカット部３ｃを形成する筐体３の枠状の背面側側壁３ｄには、背面カバー４が貼り付けられるようになっている。
【００１９】
マイク用基板７は、このアンダーカット部３ｃに一端側（下端側）が差し込まれるように挿入されて筐体３に固定されるようになっている。マイク用基板７の下端背面側にマイク２０が固定され、このマイク２０の正面側に基板側音孔７ａが開口されてマイク用音孔３ａからの音を集音可能となっている。なお、マイク用基板７は、基板ホルダー１３で覆われており、この基板ホルダー１３には、スピーカ用放音孔３ｂに放音するスピーカ３０を取り付けるスピーカ用枠部３１が設けられている。
【００２０】
アンダーカット部３ｃの近傍のマイク用音孔３ａの周縁における、マイク２０に対応する位置に、音響電子部品用クッションとしてのマイク用クッション２１が貼り付けられている。このマイク用クッション２１は、例えば、シリコンゴム、ウレタンゴム、エラストマーなどの適度な柔軟性、例えば筐体３よりも柔軟な柔軟性を有し、スポンジよりもマイク用基板７等に対して摩擦抵抗の小さい材料よりなる。マイク用クッション２１は、中心に例えば矩形状の貫通孔２１ａが形成され、その貫通孔を囲むように、そのマイク２０側（背面側）には、枠状の突条２１ｂが連続して形成され、この突条２１ｂがマイク用基板７の基板側音孔７ａの周縁に当接して密着している。このように、従来のスポンジタイプのクッション材と異なり、シリコンゴムなどの弾性部材は成形性がよいので、突条２１ｂを突出させて設けやすく、この枠状の突条２１ｂにより密閉性が格段に向上するようになっている。
【００２１】
また、マイク用クッション２１とマイク用音孔３ａの周縁との間には、防水膜２２ａ及び枠状の両面テープ２２ｂを含む、音響電子部品用シートとしてのマイク用シート２２が挟持されている。そして、マイク用シート２２の外形は、マイク用クッション２１の外形よりも小さくなっている。なお、マイク用シート２２の外形は、マイク用クッション２１の外形と同じでもよい。
【００２２】
そして、マイク用基板７の一端は、挿入時におけるマイク用クッション２１との接触を防ぐように樹脂製ホルダー８で覆われている。スマートフォン１の組立状態では、この樹脂製ホルダー８がアンダーカット部３ｃに嵌まり込んでいる。なお、ここでマイク用基板７の一端が樹脂製ホルダー８で覆われているとは、図１Ａのようにマイク用基板７の側部まで樹脂製ホルダー８が存在している場合のみならず、図６のようにマイク用基板７の側部には樹脂製ホルダー８が存在していない場合でも、樹脂製ホルダー８をマイク用基板７の端部より突出させ、マイク用基板７の端部がマイク用クッション２１と接触しにくくする場合も含む意味である。
【００２３】
このように、本実施形態では、マイク用クッション２１の周縁の少なくとも一部が嵌込用リブ３ｅで囲まれているので、マイク用クッション２１の位置決めが極めて容易な上、マイク用基板７をアンダーカット部３ｃに挿入するときにマイク用クッション２１が剥がれにくい。
【００２４】
また、マイク用クッション２１を筐体３よりも柔軟性の高い弾性部材で構成することで、マイク用基板７との密閉性が増し、音響特性がよくなる。
【００２５】
また、プリント基板よりなるマイク用基板７の端部は、切断されるときに鋭利なエッジ状やヤスリ状になっていることが多く、マイク用クッション２１にそのまま接触すると、マイク用クッション２１が剥がれてしまう。しかし、本実施形態では、マイク用基板７の端部が樹脂製ホルダー８で覆われているので、この端部がマイク用クッション２１に直接接触することはない。樹脂製ホルダー８は、射出成形時に角部が尖りにくく丸まっており、その角部がマイク用クッション２１に当接したとしても、マイク用クッション２１が剥がれにくい。
【００２６】
また、防水膜２２ａを含むマイク用シート２２を貼り付けることで、防水性が確保されると共に、剥がれやすいマイク用シート２２が弾性部材よりなるマイク用クッション２１で覆われるので、マイク用シート２２が剥がれにくくなっている。しかも、マイク用シート２２の外形をマイク用クッション２１の外形よりも小さくしたので、剥がれやすいマイク用シート２２がマイク２０やマイク用基板７に当接することがなく、マイク用シート２２がより剥がれにくくなっている。
【００２７】
したがって、本実施形態に係るスマートフォン１によると、マイク用基板７でマイク用クッション２１を押さえ付けるときに、マイク用クッション２１が剥がれるのを効果的に防止することができる。
【００２８】
−実施形態１の変形例−
図７は本発明の実施形態１の変形例にかかるスマートフォン２０１を示し、筐体２０３におけるマイク用音孔２０３ａの位置が異なる点で上記実施形態と異なる。なお、本変形例及び実施形態２では、図１Ａ〜図６と同じ部分については同じ符号を付してその詳細な説明は省略する。
【００２９】
すなわち、本変形例では、マイク用音孔２０３ａが正面にあるので、表示部２０２に貫通孔２０２ａが形成されているが、マイク用クッション２１に関する作用効果は上記実施形態１と同様である。
【００３０】
（実施形態２）
図８及び図９は本発明の実施形態２に係るスマートフォン３０１を示し、筐体３０３におけるマイク用音孔３ａとアンダーカット部３０３ｃとの位置関係が異なる点で上記実施形態１と異なる。
【００３１】
つまり、本実施形態では、マイク用音孔３ａの近傍にアンダーカット部３０３ｃがなく、その他の領域ではアンダーカット部３０３ｃが設けられているが、そのような場合でも、他の領域のアンダーカット部３０３ｃのためにマイク用基板７を斜めに挿入しなければならず、その作用効果は上記実施形態１と同様である。
【００３２】
（その他の実施形態）
本発明は、上記各実施形態について、以下のような構成としてもよい。
【００３３】
すなわち、上記各実施形態では、マイク２０をマイク用クッション２１と反対側に固定し、マイク用基板７に設けた基板側音孔７ａの周縁がマイク用クッション２１に当接する場合について説明したが、マイク２０がマイク用クッション２１に直接当接する場合にも適用できる。
【００３４】
上記各実施形態では、音響電子部品としてのマイク２０に本発明を適用した例を示したが、スピーカ３０に本発明を適用することも可能である。この音響電子部品が装着される音響電子部品用基板が、筐体３のアンダーカット部３ｃに差し込まれるように挿入される構成であれば、どこに設けてもよい。
【００３５】
また、マイク用クッション２１には、潤滑剤が塗布され、又は潤滑剤がコーティングされていてもよい。このようにすれば、マイク用基板７やマイク２０がマイク用クッション２１に接触しながらアンダーカット部３ｃに挿入されるときにマイク用クッション２１がより剥がれにくくなる。
【００３６】
上記各実施形態では、電子機器は、携帯電話機１としたが、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等のマイクやスピーカを有するものであってもよく、小型の液晶ディスプレイ、液晶テレビ、ブルーレイディスクレコーダ、ＤＶＤレコーダ等であってもよい。
【００３７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３８】
１      スマートフォン（電子機器）
２      表示部
３      筐体
３ａ    マイク用音孔（音響電子部品用音孔）
３ｂ    スピーカ用放音孔
３ｃ    アンダーカット部
３ｄ    背面側側壁
３ｅ    嵌込用リブ
４      背面カバー
５      装飾部材
５ａ    貫通孔
６      メイン基板
７      マイク用基板（音響電子部品用基板）
７ａ    基板側音孔
８      樹脂製ホルダー
９      ホルダーカバー
１０      サブアンテナ組品
１１      充電池
１２      メッシュ部材
１３      基板ホルダー
２０      マイク（音響電子部品）
２１      マイク用クッション（音響電子部品用クッション）
２１ａ    貫通孔
２１ｂ    突条
２２      マイク用シート（音響電子部品用シート）
２２ａ    防水膜
２２ｂ    両面テープ
３０      スピーカ
３１      スピーカ用枠部
５０      ビス
２０１      スマートフォン
２０２      表示部
２０２ａ    貫通孔
２０３      筐体
２０３ａ    マイク用音孔
３０１      スマートフォン
３０３      筐体
３０３ｃ    アンダーカット部
【図１Ａ】
2016174834.tif 000003
【図１Ｂ】
2016174834.tif 000004
【図２】
2016174834.tif 000005
【図３】
2016174834.tif 000006
【図４】
2016174834.tif 000007
【図５】
2016174834.tif 000008
【図６】
2016174834.tif 000009
【図７】
2016174834.tif 000010
【図８】
2016174834.tif 000011
【図９】
2016174834.tif 000012
【図１０】
2016174834.tif 000013
【国際調査報告】
2016174834.tif 000014
2016174834.tif 000015
2016174834.tif 000016
2016174834.tif 000017